(57)【要約】【課題】意匠性の向上を図ることができる電子機器を得る。【解決手段】電子機器１は、筐体本体部３１と加飾層３２と具備する。筐体本体部３１は、シボを有した第１部分３６および平面状の第２部分３７を備える。加飾層３２は、無地であって、第１部分３６に設けられた第１加飾部５１、および、シボと略同じ質感を表現する模様を有し第２部分３７に設けられた第２加飾部５２とを備える。そして、筐体本体部３１に加飾層３２を形成することによって、第１部分３６と第２部分３７の筐体表面が略同じ質感になる。【選択図】      図２
2011180744.tif 000002
【特許請求の範囲】
【請求項１】
シボを有した第１部分と、平面状の第２部分とを備えた筐体本体部と、
前記第１部分に設けられた第１加飾部と、前記第２部分に設けられ、前記シボと略同じ模様を有した第２加飾部とを備えた加飾層と、
を具備したことを特徴とする電子機器。
【請求項２】
請求項１の記載において、
前記加飾層は、インモールド成形によることを特徴とする電子機器。
【請求項３】
請求項１または請求項２の記載において、
前記シボは、テクスチャを有し、前記第２加飾部は、前記テクスチャと略同じテクスチャを有したことを特徴とする電子機器。
【請求項４】
請求項３の記載において、
前記シボ及び前記第２加飾部のテクスチャは、所定のパターンが連続して並ぶことでそれぞれ形成されたことを特徴とする電子機器。
【請求項５】
請求項４の記載において、
前記第２加飾部のテクスチャは、当該第２加飾部と前記第１部分と境界部において前記シボのテクスチャに略連続することを特徴とする電子機器。
【請求項６】
請求項１または請求項５の記載において、
前記第１加飾部は、ペイント層を有したことを特徴とする電子機器。
【請求項７】
請求項１または請求項６の記載において、
前記第１部分は、パームレストであり、前記第２部分は、タッチパッドエリアであることを特徴とする電子機器。
【請求項８】
請求項１または請求項７の記載において、
前記加飾層は、インモールドローリングによることを特徴とする電子機器。
【請求項９】
請求項１の記載において、
前記第１部分と前記第２加飾部との境界部に設けられた無模様のブランクエリアを有したことを特徴とする電子機器。
【請求項１０】
複数の凸部を有した第１部分と、平面状の第２部分とを備えた筐体本体部と、
前記第１部分に設けられた第１加飾部と、前記第２部分に設けられ、模様を有した第２加飾部とを備えた加飾層と、
を具備したことを特徴とする電子機器。
【発明の詳細な説明】
【技術分野】
【０００１】
本発明は、加飾を有した電子機器に関する。
【背景技術】
【０００２】
電子機器のなかには、筐体表面に加飾を有するものがある。  
特許文献１には、凹凸表面を有する成形品の表面上に、微細な凹凸を有する転写層が設けられたメーターパネルが開示されている。
【先行技術文献】
【特許文献】
【０００３】
【特許文献１】特開平４−１９１０２２号公報
【発明の概要】
【発明が解決しようとする課題】
【０００４】
ところで近年、電子機器の意匠性のさらなる向上が要望されている。
【０００５】
本発明の目的は、意匠性の向上を図ることができる電子機器を得ることにある。
【課題を解決するための手段】
【０００６】
本発明の一つの形態に係る電子機器は、シボを有した第１部分と平面状の第２部分とを備えた筐体本体部と、前記第１部分に設けられた第１加飾部と前記第２部分に設けられ、前記シボと略同じ模様を有した第２加飾部とを備えた加飾層とを具備した。
【発明の効果】
【０００７】
本発明によれば、電子機器の意匠性の向上を図ることができる。
【図面の簡単な説明】
【０００８】
【図１】本発明の第１の実施形態に係る電子機器の斜視図。
【図２】図１中に示された本体カバーの構成を示す平面図。
【図３】図２中に示された本体カバーを成形するための金型の平面図。
【図４】本発明の第１の実施形態の第１変形例に係る本体カバーの平面図。
【図５】本発明の第１の実施形態の第２変形例に係る電子機器の断面図。
【図６】本発明の第２の実施形態に係る表示筐体カバーの構成を示す平面図。
【発明を実施するための形態】
【０００９】
以下に本発明の実施の形態を、ノートブック型パーソナルコンピュータ（以下、ノートＰＣ）に適用した図面に基づいて説明する。
【００１０】
図１乃至図５は、本発明の第１の実施形態に係る電子機器１を開示している。電子機器１は、例えばノートＰＣである。なお本発明が適用可能な電子機器は、上記に限定されるものではない。本発明は、例えばテレビのような表示装置や、録画再生装置、ＰＤＡ(Personal digital Assistant)、及びゲーム機などを含む種々の電子機器に広く適用可能である。
【００１１】
図１に示すように、電子機器１は、本体ユニット２と、表示ユニット３と、ヒンジ４ａ，４ｂとを備えている。本体ユニット２は、メインボードを搭載した電子機器本体である。本体ユニット２は、本体筐体５を有する。本体筐体５は、「筐体」の一例である。本体筐体５は、上壁６、下壁７、及び周壁８を有し、扁平な箱状に形成されている。
【００１２】
下壁７は、電子機器１を机上に置いた時に、その机上面に向かい合う。下壁７は、机上面に対して略平行になる。上壁６は、下壁７との間に空間を空けて、下壁７と略平行（すなわち略水平）に広がる。上壁６には、キーボード９が取り付けられるキーボードエリア１０が設けられている。周壁８は、下壁７に対して起立し、下壁７の周縁部と上壁６の周縁部との間を繋いでいる。
【００１３】
図１に示すように、上壁６は、キーボードエリア１０の手前側に、パームレスト１１ａ、１１ｂ、及びタッチパッドエリア１２を有する。本体筐体５は、例えば静電容量式のタッチパッド１３を収容している。タッチパッド１３は、本体筐体５の内部からタッチパッドエリア１２に対向している。ユーザーは、タッチパッドエリア１２に指で触れることで、タッチパッド１３に座標位置などを入力することができる。
【００１４】
本体筐体５は、本体ベース１５と、本体カバー１６とを有する。本体ベース１５は、下壁７と、周壁８の一部とを有している。本体カバー１６は、上壁６と、周壁８の一部とを有している。本体カバー１６が本体ベース１５に組み合わされることで、本体筐体５が形成される。
【００１５】
本体ユニット２には、ヒンジ４ａ，４ｂによって、表示ユニット３が回動可能（開閉可能）に連結されている。表示ユニット３は、本体ユニット２を上方から覆うように倒された閉じ位置と、本体ユニット２に対して起こされた開き位置との間で回動可能である。
【００１６】
図１に示すように、表示ユニット３は、表示筐体２１と、この表示筐体２１に収容された表示装置２２とを備えている。表示筐体２１は、「筐体」の一例である。表示筐体２１は、前壁２３、背壁２４、及び周壁２５を有し、扁平な箱状に形成されている。なお本明細書では、表示ユニット３に関しては立て起こされた姿勢を基準にして前後を定義している。
【００１７】
前壁２３は、表示ユニット３が倒されたとき（すなわち閉じられたとき）に本体ユニット２の上壁６に対向する。前壁２３は、表示ユニット３が立て起こされたときにユーザーに向かい合う。前壁２３は、表示装置２２の表示画面２２ａを外部に露出させる比較的大きな開口部２３ａを有する。
【００１８】
背壁２４は、表示筐体２１において前壁２３とは反対側に位置する。背壁２４は、前壁２３との間に空間を空けて、前壁２３と略平行に広がる。周壁２５は、背壁２４に対して起立し、前壁２３の周縁部と背壁２４の周縁部との間を繋いでいる。
【００１９】
表示筐体２１は、マスク２７と、カバー２８（表示筐体カバー）とを有する。マスク２７は、前壁２３を有している。カバー２８は、背壁２４と、周壁２５とを有している。マスク２７がカバー２８に組み合わされることで、表示筐体２１が形成される。
【００２０】
次に、電子機器１の筐体加飾について説明する。  
図２は、本体カバー１６の構成を詳しく示す。本体カバー１６は、「成形品」の一例である。本体カバー１６は、筐体本体部３１と、この筐体本体部３１の表面に設けられた加飾層３２とを有する。
【００２１】
図２（ａ）は、筐体本体部３１を示す。筐体本体部３１は、例えば合成樹脂製であり、射出成形などにより成形される。筐体本体部３１は、パームレスト１１ａ、１１ｂと、タッチパッドエリア１２と、キーボードエリア１０と、これらを外れた上壁６の表面部３４とを有する。表面部３４は、外部に露出し、本体筐体５の外観の一部を成している。
【００２２】
別の区分によれば、筐体本体部３１は、第１部分３６と、第２部分３７とを有する。第１部分３６は、シボを有する。シボは、複数の凸部（または複数の凹部）を有する。「シボ」とは、筐体本体部３１の表面に設けられた細かな凹凸であり、例えば皮革、木目、岩目、砂目、なし地、又は幾何学模様のような種々の模様を形成するものである。またシボは、単なるドット柄などを形成するものでもよい。シボが設けられた領域は、平面状の領域に比べて指紋の跡が付きにくい。
【００２３】
本実施形態に係るシボは、所定の質感を表現するテクスチャを有する。具体的には、本実施形態に係るシボは、所定のパターンが連続して並ぶことで形成されたパターンテクスチャを有する。図１に示すように、パターンテクスチャの一例は、小さな長方形のパターンが連続して並ぶことで形成されたヘビ皮調のテクスチャである。  
第２部分３７は、シボが設けられておらず、平面状に形成されている。
【００２４】
図２（ａ）に示すように、パームレスト１１ａ、１１ｂ及び表面部３４は、第１部分３６に含まれ、それぞれシボが設けられている。タッチパッドエリア１２は、第２部分３７に含まれ、平面状に形成されている。キーボードエリア１０は、シボが設けられておらず、平面状に形成されている。
【００２５】
図３は、筐体本体部３１を成形する金型４１を示す。金型４１は、第１部分３６に対応した第１領域４２と、第２部分３７に対応した第２領域４３とを有する。第１領域４２は、筐体本体部３１にシボを形成するための凹凸を有する。第２領域４３は、筐体本体部３１の第２部分３７を平面状に形成するための平面部を有する。
【００２６】
図２（ｂ）は、本体カバー１６の加飾層３２を示す。加飾層３２は、インモールド箔であり、インモールド成形により筐体本体部３１に設けられる。さらに言えば、加飾層３２は、インモールドローリング（ＩＭＲ）による。ＩＭＲでは、加飾フィルムのインク層のみが筐体本体部３１に転写され、筐体本体部３１にフィルムが残らない。なお、加飾層３２は、インモールドフォーミング（ＩＭＦ）やその他の方法によるものであってもよい。ＩＭＦでは、筐体本体部３１にインク層とフィルムが残る。
【００２７】
加飾層３２は、第１加飾部５１と、第２加飾部５２と、無加飾部５３とを有する。第１加飾部５１は、筐体本体部３１の第１部分３６の全体に設けられる。第１加飾部５１は、例えば模様（柄）を有さず無地である。第１加飾部５１は、第１部分３６に色を付けるペイント層５５（図２中、ドットで表現）及び図示しないコーティング層を有する。なお、第１加飾部５１は、ペイント層５５に加えて、模様、例えばウェーブやより複雑な意匠を有してもよい。また、第１加飾部５１は、ペイント層を有しなくてもよい。
【００２８】
第２加飾部５２は、筐体本体部３１の第２部分３７の全体に設けられる。第２加飾部５２は、第１加飾部５１と同じ色のペイント層５５及び図示しないコーティング層を有する。さらに第２加飾部５２は、第１部分３６のシボと略同じ模様、すなわち上記シボと略同じ質感を表現する模様を有する。第２加飾部５２は、上記シボのテクスチャと略同じテクスチャを有する。第２加飾部５２は、上記シボの所定のパターンと略同じパターンが連続して並ぶことで形成されたパターンテクスチャを有する。本実施形態に係る第２加飾部５２は、小さな長方形のパターンが連続して並ぶことで形成されたヘビ皮調のテクスチャである。
【００２９】
図２（ｃ）は、筐体本体部３１と加飾層３２とを合わせたものある。図２（ｃ）に示すように、第２加飾部５２のテクスチャは、当該第２加飾部５２と第１部分３６との境界部において、シボのテクスチャに略連続する。すなわち上記シボ及び第２加飾部５２のテクスチャは、途切れのない連続パターンを形成する。
【００３０】
なお、「テクスチャが略連続する」とは、テクスチャを構成している線などが一続きに繋がることをいう。ただし、部品の公差などによってテクスチャを構成する線同士が多少ずれてしまったものもここでいう「略連続」に含まれる。  
無加飾部５３は、キーボードエリア１０に設けられる。無加飾部５３は、模様やペイント層を有しない領域である。
【００３１】
次に、本体カバー１６の製造方法について説明する。  
まず、上記金型４１を準備する。また、上記加飾層３２を有した加飾フィルム（インモールド箔）を準備する。そして、上記加飾フィルムを上記金型４１内にセットし、インモールド成形を行う。このとき、加飾フィルムの加飾層３２が射出成形された筐体本体部３１に転写される。その後、筐体本体部３１を金型４１内から取り出すことで成形品が得られる。
【００３２】
このような構成の電子機器１によれば、意匠性の向上を図ることができる。すなわち、筐体表面を略平面状に形成すると、指紋の跡などが目立つことになる。そこで、筐体表面にシボを設けることで意匠性を高めるとともに、指紋の跡を少なくすることできる。しかしながら、例えば筐体表面の一部にシボを有しない領域があると、シボを有した領域とシボを有しない領域との質感が異なり、電子機器全体のデザインの一体感が損なわれる可能性がある。
【００３３】
そこで本発明者は、シボを有しない領域に対して、シボと略同じ模様を有したシールを貼り付けることも考えた。しかしながら、シールを貼り付ける方法では、部品点数が増える上に、シールを貼り付ける工程が必要になる。
【００３４】
一方で、本実施形態では、シボを有した第１部分３６と、平面状の第２部分３７とを備えた筐体本体部３１に対して、第１部分３６に載せられる第１加飾部５１と、第２部分３７に載せられ、上記シボと略同じ模様を有した第２加飾部５２とを備えた加飾層３２をインモールド成形で転写する。
【００３５】
これによれば、シボを有しない第２部分３７に対してシボと略同じ模様が印刷されるために、第１部分３６と第２部分３７との質感が略同じになり、電子機器全体のデザインの一体感が得られやすい。また、本実施形態によれば、部品点数が抑えられる上に、シールを貼り付ける工程が不要になる。
【００３６】
さらに本実施形態によれば、第１部分３６に載せられる第１加飾部５１によって色や模様などを筐体本体部３１に付加可能である。すなわち、シボと略同じ模様を印刷するインモールド箔によって、シボを有する部分の塗装を行うことができる。これにより、別工程としての塗装工程を行うことなく、シボを有する部分の塗装を行うことができる。これは製品の低コスト化に寄与する。
【００３７】
上記シボ及び第２加飾部５２が略同じテクスチャを有すると、電子機器のデザインの一体感がより高くなる。特に、シボ及び第２加飾部５２のテクスチャが互いに略連続すると、加飾性が高まり、デザインの一体感がより高くなる。上記シボ及び第２加飾部５２のテクスチャが所定のパターンが連続して並ぶことで形成されたものであると、互いのテクスチャを連続させやすい。
【００３８】
例えばシールを貼り付ける場合、シボのテクスチャとシールのテクスチャを連続させることが難しい。一方で、本実施形態では、インモールド成形によりシボ及び第２加飾部５２のテクスチャを連続させている。このインモールド成形は、量産前の金型調整時にフィルムの位置合わせの補正を行うことができる。そのため、シールを貼り付ける場合に比べて、ずっと高い精度で位置合わせを行うことができる。すなわち、インモールド成形によれば、シボ及び第２加飾部５２のテクスチャをより連続させやすい。
【００３９】
第１部分３６がパームレスト１１ａ、１１ｂであり、第２部分３７がタッチパッドエリア１２であると、より広い面積を有するパームレスト１１ａ、１１ｂに指紋の跡が付きにくいとともに、平面状のタッチパッドエリア１２を用いて入力操作を行いやすい。
【００４０】
加飾層３２がインモールドローリングによれば、フィルム自体は成形品に残らず、インク層のみの転写であるので、シボが外観にきれいに表れやすい。また、フィルムがタッチパッドエリア１２に残らないので、静電容量式のタッチパッド１３の電気的特性の調整が容易になる。
【００４１】
（第１変形例）
図４は、本発明の第１の実施形態の第１変形例を示す。図４に示すように、第１変形例に係る本体カバー１６では、第２部分３７に比べて第２加飾層５２の面積が小さい。これにより、第１部分３６と第２加飾層３２との境界部に、無模様のブランクエリア６１（マージンエリア）が形成されている。
【００４２】
詳しく述べると、ブランクエリア６１は、第１加飾部５１及び第２加飾部５２と同じ色のペイント層５５を有するとともに、第１部分３６のシボに対応した模様を有していない。ブランクエリア６１は、第２加飾部５２の全周囲を取り囲むように、枠状に形成されている。
【００４３】
このような構成の電子機器１によれば、上記第１の実施形態と同様に、意匠性の向上を図ることができる。ブランクエリア６１が設けられていると、シボ及び第２加飾層３２のテクスチャの位置ずれが生じたときでも、そのずれが目立ちにくくなる。ユーザーとしては、ブランクエリア６１がタッチパッドエリア１２を視認させるものとして認識され、違和感が生じにくい。
【００４４】
（第２変形例）
図５は、本発明の第１の実施形態の第２変形例を示す。図４に示すように、第２変形例に係る電子機器１は、第２部分３７であるタッチパッドエリア１２が、第１部分３６であるパームレスト１１ａ，１１ｂに対して窪んでいる。すなわち第１部分３６と第２部分３７との間に段差７１が設けられている。そして、窪んだタッチパッドエリア１２に第２加飾層３２が設けられ、それ以外の部分に第１加飾層３２が設けられている。
【００４５】
このような構成の電子機器１によれば、上記第１の実施形態と同様に、意匠性の向上を図ることができる。第１部分３６と第２部分３７との間に段差７１が設けられていると、シボ及び第２加飾層３２のテクスチャの位置ずれが生じたときでも、そのずれが目立ちにくくなる。ユーザーとしては、段差７１がタッチパッドエリア１２を視認させるものとして認識され、違和感が生じにくい。
【００４６】
（第２の実施形態）  
次に、本発明の第２の実施形態に係る電子機器１について、図６を参照して説明する。なお上記第１の実施形態の構成と同一または類似の機能を有する構成は、同一の符号を付してその説明を省略する。また、下記に説明する以外の構成は、上記第１の実施形態と同じである。
【００４７】
図６は、表示筐体２１のカバー２８を示す。カバー２８は、「成形品」の一例である。図６（ａ）は、筐体本体部３１を示す。図６（ａ）に示すように、第１部分３６は、筐体本体部３１の中央部に設けられている。第２部分３７は、筐体本体部３１の縁部に設けられている。
【００４８】
図６（ｂ）は、加飾層３２を示す。図６（ｂ）に示すように、第１加飾部５１は、筐体本体部３１の第１部分３６に対応するように、加飾層３２の中央部に設けられている。第２加飾部５２は、筐体本体部３１の第２部分３７に対応するように、加飾層３２の縁部に設けられている。
【００４９】
図６（ｃ）は、筐体本体部３１と加飾層３２とを合わせたものある。図６（ｃ）に示すように、第２加飾部５２のテクスチャは、当該第２加飾部５２と第１部分３６との境界部において、シボのテクスチャに略連続する。すなわち上記シボ及び第２加飾部５２のテクスチャは、途切れのない連続パターンを形成する。
【００５０】
このような構成の電子機器１によれば、上記第１の実施形態と同様に、意匠性の向上を図ることができる。筐体本体部３１の中央部に第１部分３６を設けるとともに、筐体本体部３１の周縁部に第２部分３７を設けることで、筐体本体部３１の中央部でマット感を表現するともに、筐体本体部３１の周縁部にグロス感を持たせることができる。
【００５１】
以上、本発明の第１及び第２の実施形態に係る電子機器１について説明したが、本発明はこれらに限定されるものではない。第１及び第２の実施形態に係る各構成要素は、適宜組み合わせて用いることができる。また、この発明は上記実施形態そのままに限定されるものではなく、実施段階ではその要旨を逸脱しない範囲で構成要素を変形して具体化できる。
【符号の説明】
【００５２】
１…電子機器、５…筐体、１１ａ，１１ｂ…パームレスト、１２…タッチパッドエリア、３１…筐体本体部、３２…加飾層、３６…第１部分、３７…第２部分、５１…第１加飾部、５２…第２加飾部、５５…ペイント層、６１…ブランクエリア。
【図１】
2011180744.tif 000003
【図２】
2011180744.tif 000004
【図３】
2011180744.tif 000005
【図４】
2011180744.tif 000006
【図５】
2011180744.tif 000007
【図６】
2011180744.tif 000008
【手続補正書】
【提出日】平成23年3月25日(2011.3.25)
【手続補正１】
【補正対象書類名】明細書
【補正対象項目名】０００６
【補正方法】変更
【補正の内容】
【０００６】
本発明の一つの形態に係る電子機器は、筐体本体部と加飾層と具備する。筐体本体部は、シボを有した第１部分および平面状の第２部分を備える。加飾層は、無地であって、第１部分に設けられた第１加飾部、および、シボと略同じ質感を表現する模様を有し第２部分に設けられた第２加飾部とを備える。そして、筐体本体部に加飾層を形成することによって、第１部分と第２部分の筐体表面が略同じ質感になる。
【手続補正２】
【補正対象書類名】明細書
【補正対象項目名】００２９
【補正方法】変更
【補正の内容】
【００２９】
図２（ｃ）は、筐体本体部３１と加飾層３２とを合わせたものである。図２（ｃ）に示すように、第２加飾部５２のテクスチャは、当該第２加飾部５２と第１部分３６との境界部において、シボのテクスチャに略連続する。すなわち上記シボ及び第２加飾部５２のテクスチャは、途切れのない連続パターンを形成する。
【手続補正３】
【補正対象書類名】明細書
【補正対象項目名】００３２
【補正方法】変更
【補正の内容】
【００３２】
このような構成の電子機器１によれば、意匠性の向上を図ることができる。すなわち、筐体表面を略平面状に形成すると、指紋の跡などが目立つことになる。そこで、筐体表面にシボを設けることで意匠性を高めるとともに、指紋の跡を少なくすることができる。しかしながら、例えば筐体表面の一部にシボを有しない領域があると、シボを有した領域とシボを有しない領域との質感が異なり、電子機器全体のデザインの一体感が損なわれる可能性がある。
【手続補正４】
【補正対象書類名】明細書
【補正対象項目名】００４１
【補正方法】変更
【補正の内容】
【００４１】
（第１変形例）
図４は、本発明の第１の実施形態の第１変形例を示す。図４に示すように、第１変形例に係る本体カバー１６では、第２部分３７に比べて第２加飾部５２の面積が小さい。これにより、第１部分３６と第２加飾部５２との境界部に、無模様のブランクエリア６１（マージンエリア）が形成されている。
【手続補正５】
【補正対象書類名】明細書
【補正対象項目名】００４３
【補正方法】変更
【補正の内容】
【００４３】
このような構成の電子機器１によれば、上記第１の実施形態と同様に、意匠性の向上を図ることができる。ブランクエリア６１が設けられていると、シボ及び第２加飾部５２のテクスチャの位置ずれが生じたときでも、そのずれが目立ちにくくなる。ユーザーとしては、ブランクエリア６１がタッチパッドエリア１２を視認させるものとして認識され、違和感が生じにくい。
【手続補正６】
【補正対象書類名】明細書
【補正対象項目名】００４４
【補正方法】変更
【補正の内容】
【００４４】
（第２変形例）
図５は、本発明の第１の実施形態の第２変形例を示す。図４に示すように、第２変形例に係る電子機器１は、第２部分３７であるタッチパッドエリア１２が、第１部分３６であるパームレスト１１ａ，１１ｂに対して窪んでいる。すなわち第１部分３６と第２部分３７との間に段差７１が設けられている。そして、窪んだタッチパッドエリア１２に第２加飾部５２が設けられ、それ以外の部分に第１加飾部５１が設けられている。
【手続補正７】
【補正対象書類名】明細書
【補正対象項目名】００４５
【補正方法】変更
【補正の内容】
【００４５】
このような構成の電子機器１によれば、上記第１の実施形態と同様に、意匠性の向上を図ることができる。第１部分３６と第２部分３７との間に段差７１が設けられていると、シボ及び第２加飾部５２のテクスチャの位置ずれが生じたときでも、そのずれが目立ちにくくなる。ユーザーとしては、段差７１がタッチパッドエリア１２を視認させるものとして認識され、違和感が生じにくい。
【手続補正８】
【補正対象書類名】特許請求の範囲
【補正対象項目名】全文
【補正方法】変更
【補正の内容】
【特許請求の範囲】
【請求項１】
シボを有した第１部分および平面状の第２部分を備えた筐体本体部と、
無地であって前記第１部分に設けられた第１加飾部および前記シボと略同じ質感を表現する模様を有し前記第２部分に設けられた第２加飾部を備えた加飾層と
を具備し、
前記筐体本体部に前記加飾層を形成することによって前記第１部分と前記第２部分の筐体表面が略同じ質感になることを特徴とする電子機器。
【請求項２】
請求項１の記載において、
前記加飾層は、インモールド成形によることを特徴とする電子機器。
【請求項３】
請求項１または請求項２の記載において、
前記シボは、テクスチャを有し、前記第２加飾部は、前記テクスチャと略同じテクスチャを有したことを特徴とする電子機器。
【請求項４】
請求項３の記載において、
前記シボ及び前記第２加飾部のテクスチャは、所定のパターンが連続して並ぶことでそれぞれ形成されたことを特徴とする電子機器。
【請求項５】
請求項４の記載において、
前記第２加飾部のテクスチャは、当該第２加飾部と前記第１部分と境界部において前記シボのテクスチャに略連続することを特徴とする電子機器。
【請求項６】
請求項１または請求項５の記載において、
前記第１加飾部は、ペイント層を有したことを特徴とする電子機器。
【請求項７】
請求項１または請求項６の記載において、
前記第１部分は、パームレストであり、前記第２部分は、タッチパッドエリアであることを特徴とする電子機器。
【請求項８】
請求項１または請求項７の記載において、
前記加飾層は、インモールドローリングによることを特徴とする電子機器。
【請求項９】
請求項１の記載において、
前記第１部分と前記第２加飾部との境界部に設けられた無模様のブランクエリアを有したことを特徴とする電子機器。
【請求項１０】
複数の凸部を有した第１部分および平面状の第２部分を備えた筐体本体部と、
無地であって前記第１部分に設けられた第１加飾部および前記凸部と略同じ質感を表現する模様を有し前記第２部分に設けられた加飾層と
を具備し、
前記筐体本体部に前記加飾層を形成することによって前記第１部分と前記第２部分の筐体表面が略同じ質感になることを特徴とする電子機器。
【請求項１１】
シボを有した第１部分および平面状の第２部分を備えた筐体本体部と、
前記第１部分に設けられた無地部および前記シボと略同じ意匠を表現する模様を有し前記第２部分に設けられた加飾部を備えた加飾層と、
を具備し、
前記筐体本体部に前記加飾層を形成することによって前記第１部分と前記第２部分の筐体表面が略同じ意匠になることを特徴とする電子機器。
【手続補正１０】
【補正対象書類名】図面
【補正対象項目名】図５
【補正方法】変更
【補正の内容】
【図５】
2011180744.tif 000009